(57)【要約】【課題】接続の要求があったことを着呼者に通知するとともに、小型基地局側の同時接続数の制限により接続させることができなかったことを発呼者に通知することができるようにする。【解決手段】移動機８から送信された移動機２−３に対する音声通話の接続要求は、マクロ基地局７を介してCSCF６により受信され、ブロードバンド回線３等を介してフェムト基地局１に送信される。所定の通話品質を確保できる帯域を個別チャネルとして移動機２−３に割り当てることができない場合、フェムト基地局１からは、同時接続数の制限により接続させることができないことを表す情報が送信される。CSCF６からは、そのことを通知する電子メールが移動機２−３と移動機８に送信される。ブロードバンド回線３を介したデータの送受信は共有チャネルを使って行われる。本発明は、フェムトセルの基地局に適用することができる。【選択図】図１
2010141456.tif 000002
【特許請求の範囲】
【請求項１】
移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、
前記制御サーバは、
前記小型基地局が管理するセルに在圏している第１の移動機に対する音声通話の接続要求を第２の移動機から受信した場合、前記接続要求を前記小型基地局に送信する第１の通信手段と、
接続制限をしているために前記第１の移動機に接続できないことを表す情報を、前記接続要求に対する応答として前記小型基地局から受信した場合、前記情報を通知する第１のメッセージを、前記第１の移動機を送信先として前記小型基地局に送信するとともに、前記第１のメッセージを前記第２の移動機に送信する第２の通信手段と
を備え、
前記小型基地局は、
前記接続要求を前記制御サーバから受信した場合、前記第１の移動機に対して、所定の通話品質を確保できるチャネルを割り当てることができるか否かを判断する判断手段と、
前記判断手段により前記チャネルを割り当てることができないと判断された場合、接続制限をしているために前記第１の移動機に接続できないことを表す情報を前記接続要求に対する応答として前記制御サーバに送信する第１の通信手段と、
前記第１のメッセージを前記制御サーバから受信した場合、前記第１のメッセージを前記第１の移動機に送信する第２の通信手段と
を備える
通信システム。
【請求項２】
前記制御サーバは、前記第１の移動機から送信された、前記第１のメッセージを受信したことを表す情報を前記小型基地局から受信した場合、前記第１のメッセージの前記第１の移動機に対する送信が成功したことを通知する第２のメッセージを前記第２の移動機に送信する第３の通信手段をさらに備える
請求項１に記載の通信システム。
【請求項３】
前記第２のメッセージは、前記第１の移動機がショートメッセージによる通信が可能であることを通知する内容を含む
請求項２に記載の通信システム。
【請求項４】
公衆網を構成するマクロ基地局が管理するマクロセルよりも狭いセルを管理し、在圏する移動機の通話品質が確保できない場合は接続制限を行う小型基地局において、
管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断する判断手段と、
前記判断手段により前記チャネルを割り当てることができないと判断された場合、接続制限をしているために前記第１の移動機に接続できないことを表す情報を前記接続要求に対する応答として前記制御サーバに送信する第１の通信手段と、
前記情報を通知する第１のメッセージを前記制御サーバから受信した場合、前記第１のメッセージを前記第１の移動機に送信する第２の通信手段と
を備える小型基地局。
【請求項５】
前記第１の移動機から送信された、前記第１のメッセージを受信したことを表す情報を受信した場合、受信した前記情報を前記制御サーバに送信する第３の通信手段をさらに備える
請求項４に記載の小型基地局。
【請求項６】
前記第２のメッセージは、前記第１の移動機がショートメッセージによる通信が可能であることを通知する内容を含む
請求項５に記載の小型基地局。
【請求項７】
公衆網を構成するマクロ基地局が管理するマクロセルよりも狭いセルを管理し、在圏する移動機の通話品質が確保できない場合は接続制限を行う小型基地局の通信方法において、
管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断し、
前記チャネルを割り当てることができないと判断した場合、接続制限をしているために前記第１の移動機に接続できないことを表す情報を前記接続要求に対する応答として前記制御サーバに送信し、
前記情報を通知する第１のメッセージを前記制御サーバから受信した場合、前記第１のメッセージを前記第１の移動機に送信する
ステップを含む通信方法。
【請求項８】
移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、
前記制御サーバは、
前記小型基地局が管理するセルに在圏している第１の移動機に対する音声通話の接続要求を第２の移動機から受信した場合、前記接続要求を前記小型基地局に送信する通信手段を備え、
前記小型基地局は、
前記接続要求を前記制御サーバから受信した場合、前記第１の移動機に対して、所定の通話品質を確保できるチャネルを割り当てることができるか否かを判断する判断手段と、
前記判断手段により前記チャネルを割り当てることができないと判断された場合、接続制限をしているために接続できないことを通知するメッセージを、前記第１と第２の移動機に送信する通信手段と
を備える
通信システム。
【請求項９】
公衆網を構成するマクロ基地局が管理するマクロセルよりも狭いセルを管理し、在圏する移動機の通話品質が確保できない場合は接続制限を行う小型基地局において、
管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断する判断手段と、
前記判断手段により前記チャネルを割り当てることができないと判断された場合、接続制限をしているために接続できないことを通知するメッセージを、前記第１と第２の移動機に送信する通信手段と
を備える小型基地局。
【請求項１０】
公衆網を構成するマクロ基地局が管理するマクロセルよりも狭いセルを管理し、在圏する移動機の通話品質が確保できない場合は接続制限を行う小型基地局の通信方法において、
管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断し、
前記チャネルを割り当てることができないと判断した場合、接続制限をしているために接続できないことを通知するメッセージを、前記第１と第２の移動機に送信する
ステップを含む通信方法。
【請求項１１】
移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、
前記制御サーバは、
前記小型基地局が管理するセルに在圏している第１の移動機に対する音声通話の接続要求を第２の移動機から受信した場合、前記接続要求を前記小型基地局に送信する第１の通信手段と、
接続制限をしているために前記第１の移動機に接続できないことを表す情報を、前記接続要求に対する応答として前記小型基地局から受信した場合、前記情報を通知する第１のメッセージを前記第２の移動機に送信する第２の通信手段と
を備え、
前記小型基地局は、
前記接続要求を前記制御サーバから受信した場合、前記第１の移動機に対して、所定の通話品質を確保できるチャネルを割り当てることができるか否かを判断する判断手段と、
前記判断手段により前記チャネルを割り当てることができないと判断された場合、接続制限をしているために前記第１の移動機に接続できないことを表す情報を前記接続要求に対する応答として前記制御サーバに送信する第１の通信手段と、
前記判断手段により前記チャネルを割り当てることができないと判断された場合、接続制限をしているために接続できないことを発光表示により表す発光手段と
を備える
通信システム。
【発明の詳細な説明】
【技術分野】
【０００１】
本発明は、通信システム、小型基地局、通信方法に関し、特に、接続の要求があったことを着呼者に通知するとともに、小型基地局側の同時接続数の制限により接続させることができなかったことを発呼者に通知することができるようにした通信システム、小型基地局、通信方法に関する。
【背景技術】
【０００２】
従来の携帯電話ネットワークにおいては、マクロセルに在圏する携帯電話機にマクロ基地局が割り当てることのできる個別チャネル数に限界がある。
【０００３】
ここで、マクロセルは、不特定多数の公衆向けのものであって、半径数百メートルから数キロメートルの広いセルのことをいう。また、個別チャネルは、携帯電話機に占有のものとして割り当てられるチャネルのことをいう。複数の携帯電話機が共有してパケットの送受信に使うチャネルが共通チャネルということになる。
【０００４】
そのため、音声通話などを行っているユーザが集中しているマクロセル内に存在する携帯電話機の中には個別チャネルの割り当てがない携帯電話機もあることになる。このような個別チャネルの割り当てがない携帯電話機に対して他の電話機から電話がかかってきた場合、その接続要求は、接続先の携帯電話機により受信される前に、マクロ基地局などのシステム側で拒絶され、切断される。
【０００５】
【特許文献１】特開２００７−２６７４２４号公報
【発明の開示】
【発明が解決しようとする課題】
【０００６】
ところで、近年、家屋内やオフィスビル内などの半径数十メートル程度の狭い範囲をカバーするためのものとして「フェムトセル」が注目されている。
【０００７】
フェムトセルは、そのような狭い範囲をカバーする程度のレベルの電波を出力する基地局であるフェムト基地局を、ADSL(Asymmetric Digital Subscriber Line)モデムなどのブロードバンド回線のモデムに接続することによって構築される。
【０００８】
「マクロセル」とは異なり、「フェムトセル」はフェムト基地局が設置された家屋の住人などの限られたユーザに対して通信サービスを提供するものである。フェムトセルに在圏している携帯電話機を使って音声通話を行った場合、その音声データはフェムト基地局からモデムに出力され、ブロードバンド回線、コアネットワークなどを介して通信相手の移動機に送信される。
【０００９】
ブロードバンド回線の帯域が不足することによって個別チャネルを割り当てることができない場合には音声通話を行う携帯電話機の接続数を制限するようになっていることから、このフェムトセルにおいても同様に、個別チャネルの割り当てがない携帯電話機に対する接続要求は、フェムト基地局により拒絶される。フェムトセルを使った音声通話の品質に関して、「携帯電話事業者は、フェムトセル基地局と携帯電話コアネットワーク間での品質監視により、通話品質が確保できない場合は、同時接続数の制限等を行う。」ことが総務省のガイドライン等において求められるものと考えられる。
【００１０】
このようにして接続要求が拒絶された場合、着呼者側は接続要求があったことに気づかないし、発呼者側も、何で接続されないのかが分からず不便である。
【００１１】
本発明はこのような状況に鑑みてなされたものであり、接続の要求があったことを着呼者に通知するとともに、小型基地局側の同時接続数の制限により接続させることができなかったことを発呼者に通知することができるようにするものである。
【課題を解決するための手段】
【００１２】
本発明の第１の通信システムは、移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、前記制御サーバは、前記小型基地局が管理するセルに在圏している第１の移動機に対する音声通話の接続要求を第２の移動機から受信した場合、前記接続要求を前記小型基地局に送信する第１の通信手段と、接続制限をしているために前記第１の移動機に接続できないことを表す情報を、前記接続要求に対する応答として前記小型基地局から受信した場合、前記情報を通知する第１のメッセージを、前記第１の移動機を送信先として前記小型基地局に送信するとともに、前記第１のメッセージを前記第２の移動機に送信する第２の通信手段とを備え、前記小型基地局は、前記接続要求を前記制御サーバから受信した場合、前記第１の移動機に対して、所定の通話品質を確保できるチャネルを割り当てることができるか否かを判断する判断手段と、前記判断手段により前記チャネルを割り当てることができないと判断された場合、接続制限をしているために前記第１の移動機に接続できないことを表す情報を前記接続要求に対する応答として前記制御サーバに送信する第１の通信手段と、前記第１のメッセージを前記制御サーバから受信した場合、前記第１のメッセージを前記第１の移動機に送信する第２の通信手段とを備える。
【００１３】
前記制御サーバには、前記第１の移動機から送信された、前記第１のメッセージを受信したことを表す情報を前記小型基地局から受信した場合、前記第１のメッセージの前記第１の移動機に対する送信が成功したことを通知する第２のメッセージを前記第２の移動機に送信する第３の通信手段をさらに設けることができる。
【００１４】
前記第２のメッセージには、前記第１の移動機がショートメッセージによる通信が可能であることを通知する内容を含ませることができる。
【００１５】
本発明の第１の小型基地局は、公衆網を構成するマクロ基地局が管理するマクロセルよりも狭いセルを管理し、在圏する移動機の通話品質が確保できない場合は接続制限を行う小型基地局において、管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断する判断手段と、前記判断手段により前記チャネルを割り当てることができないと判断された場合、接続制限をしているために前記第１の移動機に接続できないことを表す情報を前記接続要求に対する応答として前記制御サーバに送信する第１の通信手段と、前記情報を通知する第１のメッセージを前記制御サーバから受信した場合、前記第１のメッセージを前記第１の移動機に送信する第２の通信手段とを備える。
【００１６】
前記第１の移動機から送信された、前記第１のメッセージを受信したことを表す情報を受信した場合、受信した前記情報を前記制御サーバに送信する第３の通信手段をさらに設けることができる。
【００１７】
前記第２のメッセージには、前記第１の移動機がショートメッセージによる通信が可能であることを通知する内容を含ませることができる。
【００１８】
本発明の第１の小型基地局の通信方法は、公衆網を構成するマクロ基地局が管理するマクロセルよりも狭いセルを管理し、在圏する移動機の通話品質が確保できない場合は接続制限を行う小型基地局の通信方法において、管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断し、前記チャネルを割り当てることができないと判断した場合、接続制限をしているために前記第１の移動機に接続できないことを表す情報を前記接続要求に対する応答として前記制御サーバに送信し、前記情報を通知する第１のメッセージを前記制御サーバから受信した場合、前記第１のメッセージを前記第１の移動機に送信するステップを含む。
【００１９】
本発明の第２の通信システムは、移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、前記制御サーバは、前記小型基地局が管理するセルに在圏している第１の移動機に対する音声通話の接続要求を第２の移動機から受信した場合、前記接続要求を前記小型基地局に送信する通信手段を備え、前記小型基地局は、前記接続要求を前記制御サーバから受信した場合、前記第１の移動機に対して、所定の通話品質を確保できるチャネルを割り当てることができるか否かを判断する判断手段と、前記判断手段により前記チャネルを割り当てることができないと判断された場合、接続制限をしているために接続できないことを通知するメッセージを、前記第１と第２の移動機に送信する通信手段とを備える。
【００２０】
本発明の第２の小型基地局は、公衆網を構成するマクロ基地局が管理するマクロセルよりも狭いセルを管理し、在圏する移動機の通話品質が確保できない場合は接続制限を行う小型基地局において、管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断する判断手段と、前記判断手段により前記チャネルを割り当てることができないと判断された場合、接続制限をしているために接続できないことを通知するメッセージを、前記第１と第２の移動機に送信する通信手段とを備える。
【００２１】
本発明の第２の小型基地局の通信方法は、公衆網を構成するマクロ基地局が管理するマクロセルよりも狭いセルを管理し、在圏する移動機の通話品質が確保できない場合は接続制限を行う小型基地局の通信方法において、管理するセルに在圏している第１の移動機に対する、第２の移動機による音声通話の接続要求を移動機間の音声データの送受信を制御する制御サーバから受信した場合、前記第１の移動機に対して、所定の通話品質を確保できるチャネルを割り当てることができるか否かを判断し、前記チャネルを割り当てることができないと判断した場合、接続制限をしているために接続できないことを通知するメッセージを、前記第１と第２の移動機に送信するステップを含む。
【００２２】
本発明の第３の通信システムは、移動機間の音声データの送受信を制御する制御サーバと、公衆網を構成するマクロ基地局が管理するマクロセルよりも狭いセルを管理し、在圏する移動機の通話品質が確保できない場合は接続制限を行う小型基地局を備える通信システムにおいて、前記制御サーバは、前記小型基地局が管理するセルに在圏している第１の移動機に対する音声通話の接続要求を第２の移動機から受信した場合、前記接続要求を前記小型基地局に送信する第１の通信手段と、接続制限をしているために前記第１の移動機に接続できないことを表す情報を、前記接続要求に対する応答として前記小型基地局から受信した場合、前記情報を通知する第１のメッセージを前記第２の移動機に送信する第２の通信手段とを備え、前記小型基地局は、前記接続要求を前記制御サーバから受信した場合、前記第１の移動機に対して、所定の通話品質を確保できるチャネルを割り当てることができるか否かを判断する判断手段と、前記判断手段により前記チャネルを割り当てることができないと判断された場合、接続制限をしているために前記第１の移動機に接続できないことを表す情報を前記接続要求に対する応答として前記制御サーバに送信する第１の通信手段と、前記判断手段により前記チャネルを割り当てることができないと判断された場合、接続制限をしているために接続できないことを発光表示により表す発光手段とを備える。
【発明の効果】
【００２３】
本発明によれば、接続の要求があったことを着呼者に通知するとともに、小型基地局側の同時接続数の制限により接続させることができなかったことを発呼者に通知することができる。
【発明を実施するための最良の形態】
【００２４】
［通信システムの構成例］
図１は、本発明の一実施形態に係る通信システムの構成例を示す図である。
【００２５】
図１の例においては、家屋やオフィスビル内などの構内にフェムト基地局１が設置されており、フェムト基地局１によりフェムトセルＣ1が形成されている。後述するマクロセルＣ2と同程度の大きさとして図１においては示されているが、フェムトセルＣ1は、マクロセルＣ2より狭い、半径数メートル、数十メートルなどのフェムト基地局１が設置されている構内の範囲をカバーするセルである。
【００２６】
フェムト基地局１にはLAN(Local Area Network)ケーブルなどを介して、ADSLモデム、ONU(Optical Network Unit)などの、ブロードバンド回線３のモデム（図示せず）が接続されている。フェムト基地局１にモデム機能が搭載されている場合、フェムト基地局１がブロードバンド回線３に直接接続されるようにしてもよい。
【００２７】
フェムト基地局１は、モデムと、ADSL回線や光回線であるブロードバンド回線３を介してインターネットなどのネットワークに接続され、フェムトセルに在圏している移動機が行う音声データなどの通信を中継する。
【００２８】
図１の例においては、携帯電話機である移動機２−１乃至２−３がフェムトセルＣ1に在圏し、移動機２−１と２−２が他のセルに在圏する移動機のユーザとの音声通話に用いられている。ブロードバンド回線３の帯域のうちの、所定の通話品質を確保できる帯域が個別チャネルとして移動機２−１と２−２にそれぞれ割り当てられている。フェムトセルを使った音声通話の品質として、事業用電気通信設備規則で規定される品質を確保することが総務省のガイドライン等において求められる場合、ここでいう所定の通話品質は、事業用電気通信設備規則で規定される品質となる。
【００２９】
また、図１の例においては、フェムト基地局１側から見てブロードバンド回線３の先には、ネットワークを介してパケットデータGW(Gate Way)４が接続され、その先に、MGW(Media Gate Way)５、CSCF(Call Session Control Function)６が接続されている。パケットデータGW４、MGW５、CSCF６も、それぞれネットワークを介して接続されている。図１にはパケットデータGW、MGW、CSCFが１つずつ示されているが、実際には複数のパケットデータGW、MGW、CSCFによってIMS（IP Multimedia Subsystem)によるコアネットワークが構築される。
【００３０】
パケットデータGW４は、フェムト基地局１との間でVPN(Virtual Private Network)を構築し、ブロードバンド回線３を介して、音声データなどの各種のデータが格納されたパケットをフェムト基地局１との間で送受信する。また、パケットデータGW４は、パケットに格納してフェムト基地局１から送信されてきたデータをMGW５に送信し、MGW５から送信されてきたデータをフェムト基地局１に送信する。
【００３１】
MGW５は、転送方式の変換、パケットのルーティングを行うことによって、フェムト基地局１を送信先としてCSCF６から送信されてきたデータをパケットデータGW４に送信し、パケットデータGW４から送信されてきたデータをCSCF６に送信する。
【００３２】
CSCF６は、交換機としての機能を有するSIPサーバであり、パケット網上における移動機間の音声通話を制御する。CSCF６は、例えば、フェムトセルＣ1に在圏している移動機２−３を接続先として、マクロセルＣ2に在圏している移動機８から音声通話の接続要求があった場合、その接続要求をMGW５、パケットデータGW４を介してフェムト基地局１に送信する。また、CSCF６は、ネットワークを介して接続される図示せぬサーバを制御するなどして、着呼者の端末である移動機２−３や発呼者の端末である移動機８に各種の情報を送信する。
【００３３】
CSCF６には、図示せぬRNC(Radio Network Controller)などを介してマクロ基地局７が接続されている。マクロ基地局７はマクロセルＣ2を管理し、マクロセルＣ2に在圏している移動機８との間でW-CDMA(Wideband-Code Division Multiple Access)などの方式に従って音声データなどの各種のデータの送受信を行う。
【００３４】
このような構成を有する図１の通信システムにおいては、フェムトセルＣ1を使った音声通話の通話品質を確保するために、音声通話に用いられる移動機に対して、ブロードバンド回線３の帯域のうちの所定の帯域が個別チャネルとしてフェムト基地局１により割り当てられる。
【００３５】
ブロードバンド回線３の帯域のうち、個別チャネルとして用いられていない帯域が共有チャネルとなる。フェムトセルＣ1に在圏している移動機は、他の移動機に個別チャネルが割り当てられている場合であっても、共有チャネルを使って音声パケット以外のデータの送受信を行うことができる。音声データ以外のデータの送受信については、いわゆるベストエフォートでの送受信でよいことがフェムトセルに関する総務省のガイドライン等において規定されるものと考えられる。
【００３６】
求められる通話品質に応じた帯域が個別チャネルとして割り当てられてしまうことから、ブロードバンド回線３の帯域幅によっては、フェムト基地局１がハードウエア的に同時に無線通信を行うことが可能な最大の移動機の数よりも少ない数しか、同時に接続させることができないことがある。
【００３７】
例えば、図２に示す上下方向の全体の幅がブロードバンド回線３の帯域幅として、固定の幅の帯域である個別チャネルを２チャネル確保したときの残りの空き帯域では個別チャネルを確保することができない場合、フェムト基地局１が接続を許可する移動機の数は２となる。図２の例においては、個別チャネル１と２が既に確保されており、残りの帯域では個別チャネルをもう１チャネル確保することができないものとされている。個別チャネルではない斜線で示す帯域がブロードバンド回線３の共有チャネルとなる。
【００３８】
この場合、フェムト基地局１は、フェムトセルＣ1に在圏している移動機に対する音声通話の接続要求が外部から送信されてきてもその移動機には接続させずに、音声通話を行わせない。図２の例の場合、フェムトセルＣ1内では２人のユーザだけが音声通話を同時に行うことができることになる。
【００３９】
例えば、図１に示すように移動機２−１と２−２が音声通話に用いられている場合に、移動機２−３に対する接続要求（発呼要求）がマクロセルＣ2に在圏している移動機８からあったとき、その接続要求はフェムト基地局１により拒絶され、移動機８のユーザと移動機２−３のユーザの間で音声通話を行うことはできないが、その際、同時接続数の制限により接続させることができなかったことが移動機８に通知される。また、移動機２−３に、接続要求があったこと（着信があったこと）が通知される。
【００４０】
ここで、図３を参照して、図１の通信システムにおける情報の一連の流れについて説明する。
【００４１】
フェムトセルＣ2に在圏している移動機８のユーザが移動機２−３の電話番号を押すなどして通話の開始を指示した場合、矢印＃１に示すように、移動機２−３に対する接続要求が移動機８から送信される。移動機８から送信された接続要求はマクロ基地局７を介してCSCF６により受信される。
【００４２】
CSCF６は、移動機２−３がフェムトセルＣ1に在圏していることを特定し、矢印＃２に示すように、移動機２−３に対する接続要求をMGW５、パケットデータGW４、ブロードバンド回線３を介してフェムト基地局１に送信する。この接続要求は、ブロードバンド回線３上では共有チャネル（図２）を使って送信される。
【００４３】
移動機２−３に対する接続要求を受信した場合、フェムト基地局１は、ブロードバンド回線３の帯域の現在の割り当ての状況を確認し、個別チャネルを移動機２−３に割り当てることができるか否かを判断する。この例においては、移動機２−１と２−２に個別チャネルが既に割り当てられていることから、移動機２−３に個別チャネルを割り当てることができないと判断されることになる。
【００４４】
個別チャネルを割り当てることができないと判断した場合、フェムト基地局１は、接続要求に対する応答として、矢印＃３に示すように、同時接続数の制限により移動機２−３に接続させることができなかったことを表す情報をブロードバンド回線３、パケットデータGW４、MGW５を介してCSCF６に送信する。この情報も、ブロードバンド回線３の共有チャネルを使って送信される。
【００４５】
フェムト基地局１からの情報を受信した場合、CSCF６は、矢印＃４に示すように、着信が失敗したこと、すなわち着信があったことを通知するショートメッセージ（SMS(Short Message Service)）や電子メールを送信することの要求を、MGW５、パケットデータGW４、ブロードバンド回線３を介してフェムト基地局１、またはSMSCやMMSなどのショートメッセージや電子メールの送信を管理するサーバに出し、あて先としての着呼者の端末である移動機２−３にショートメッセージや電子メールを送信する。CSCF６には、移動機２−３や移動機８の電子メールアドレスなどが登録されている。ネットワーク上で電子メールアドレスを管理しているサーバに対する問い合わせが行われ、移動機２−３や移動機８の電子メールアドレスがCSCF６により取得されるようにしてもよい。
【００４６】
ショートメッセージや電子メールも、ブロードバンド回線３の共有チャネルを使ってフェムト基地局１に送信される。以下、電子メールを使って通知が行われる場合について説明するが、ショートメッセージを使って通知が行われる場合も同様である。
【００４７】
移動機２−３のディスプレイには電子メールを受信したことが表示され、移動機２−３のユーザは、その内容を確認することができる。電子メールの内容を表示することが指示された場合、着信があったが同時接続数の制限により接続させることができなかったことを通知するメッセージや、発呼者の電話番号などの情報が移動機２−３によりディスプレイに表示される。
【００４８】
これにより、着呼者である移動機２−３のユーザは、移動機８のユーザから自分に対する接続要求があったことを知ることができる。また、ユーザは、同時接続数の制限がフェムトセルＣ1内で行われていることを知ることができる。
【００４９】
移動機２−３のユーザに対しては、フェムト基地局１の筐体に設けられるLED(Light Emitting Diode)等の発光手段による発光表示によって、着信があったが同時接続数の制限により接続させることができなかったことが通知されるようにしてもよい。発光手段による発光表示は、同時接続数の制限により接続させることができなかったことを表す情報がフェムト基地局１からCSCF６に対して送信された後、CSCF６による制御に従って行われるようにしてもよい。
【００５０】
また、フェムト基地局１からの情報を受信したCSCF６は、矢印＃５に示すように、着信が失敗したこと、すなわち、移動機２−３に接続させることができなかったことを通知する電子メールを、移動機８にもマクロ基地局７を介して送信する。移動機８のディスプレイには電子メールを受信したことが表示され、移動機８のユーザは、その内容を確認することができる。電子メールの内容を表示することが指示された場合、フェムト基地局１側の同時接続数の制限により接続させることができなかったことを通知するメッセージなどが移動機８によりディスプレイに表示される。
【００５１】
これにより、発呼者である移動機８のユーザは、フェムト基地局１側の同時接続数の制限により移動機２−３のユーザと通知ができなかったことを知ることができる。
【００５２】
例えば、CSCF６からの電子メールを受信した場合、または、その電子メールの内容がユーザにより確認された場合、フェムト基地局１は、矢印＃６に示すように、移動機２−３からの通知に応じて、いわゆるデリバリーレポートの情報をブロードバンド回線３、パケットデータGW４、MGW５を介してCSCF６に送信する。この情報も、ブロードバンド回線３の共有チャネルを使って送信される。
【００５３】
デリバリーレポートの情報を受信した場合、CSCF６は、矢印＃７に示すように、着呼者に対する通知が成功したことを通知する電子メールを、マクロ基地局７を介して移動機８に送信する。移動機８のディスプレイには電子メールを受信したことが表示され、移動機８のユーザは、その内容を確認することができる。
【００５４】
これにより、移動機８のユーザは、自分からの着信があったことに移動機２−３のユーザが気づいたということを確認することができる。なお、この着呼者に対する通知が成功したことを通知する電子メールに、移動機２−３が、ショートメッセージによる通信を行うことは可能であることを通知する内容が含まれるようにしてもよい。
【００５５】
このように、図１の通信システムにおいては、フェムト基地局１側の同時接続数の制限により音声通話を開始することができなかった場合であっても、着呼者は着信があったことを知ることができる。また、発呼者はフェムト基地局１側の同時接続数の制限により音声通話を開始することができなかったことを知ることができる。
【００５６】
なお、発呼者に対する矢印＃５に示す着信失敗の通知と矢印＃７に示す通知成功の通知は、電子メールによってされるのではなく音声によってされるようにしてもよい。
【００５７】
また、矢印＃４の着呼者に対する着信失敗の通知と、矢印＃５の発呼者に対する着信失敗の通知がCSCF６より行われるものとしたが、CSCF６による制御に従って、図示せぬメールサーバにより行われるようにしてもよい。
【００５８】
［機器の構成例］
図４は、フェムト基地局１の構成例を示すブロック図である。
【００５９】
図４に示すように、フェムト基地局１は、ネットワーク通信部１１、制御部１２、無線通信部１３、およびアンテナ１４から構成される。
【００６０】
ネットワーク通信部１１はネットワークのインタフェースであり、UDP(User Datagram Protocol)などの所定のプロトコルに従って、有線を介して、フェムト基地局１と接続されるモデムと通信を行う。
【００６１】
ネットワーク通信部１１は、モデムにより受信された相手の移動機からの音声データを無線通信部１３に出力し、一方、無線通信部１３から供給された移動機２−３からの音声データをモデムに出力して相手の移動機に送信させる。
【００６２】
制御部１２はCPU(Central Processing Unit)，ROM(Read Only Memory)，RAM(Random Access Memory)などよりなり、所定のプログラムを実行してフェムト基地局１の全体の動作を制御する。
【００６３】
例えば、制御部１２は、移動機２−３に対する音声通話の接続要求がCSCF６から送信され、ネットワーク通信部１１により受信された場合において、同時接続数の制限により移動機２−３に接続させることができないとき、ネットワーク通信部１１を制御し、そのことを表す情報をブロードバンド回線３の共有チャネルを使ってCSCF６に送信する。
【００６４】
また、制御部１２は、着信があったことを通知する電子メールが送信され、ネットワーク通信部１１において受信された場合、無線通信部１３を制御し、その電子メールを移動機２−３に送信させる。
【００６５】
無線通信部１３は、空中線電力が２０ｍＷ以下などの所定の強度の電波をアンテナ１４から出力し、W-CDMAなどの規格に従って、フェムトセルＣ1に在圏している移動機と無線通信を行う。
【００６６】
図５は、CSCF６の構成例を示すブロック図である。
【００６７】
図５に示すように、CSCF６はコンピュータにより構成される。１台のコンピュータではなく複数台のコンピュータが接続されることによってCSCF６が構成されるようにしてもよい。CPU３１、ROM３２、RAM３３は、バス３４により相互に接続される。
【００６８】
バス３４には、さらに、入出力インタフェース３５が接続されている。入出力インタフェース３５には、キーボード、マウスなどよりなる入力部３６、ディスプレイ、スピーカなどよりなる出力部３７が接続される。
【００６９】
また、バス３４には、ハードディスクや不揮発性のメモリなどよりなる記憶部３８、ネットワークインタフェースなどよりなり、MGW５、マクロ基地局７と通信を行う通信部３９、リムーバブルメディア４１を駆動するドライブ４０が接続される。
【００７０】
CPU３１は所定のプログラムを実行することによってCSCF６の全体の動作を制御する。CPU３１は、例えば、移動機８からの接続要求が通信部３９において受信された場合、通信部３９を制御し、その接続要求をフェムト基地局１に送信する。
【００７１】
また、CPU３１は、同時接続数の制限により移動機２−３に接続させることができなかったことを表す情報がフェムト基地局１から送信され、通信部３９において受信された場合、通信部３９を制御して、着信があったことを通知する電子メールを移動機２−３を送信先としてフェムト基地局１に対して送信させ、同時接続数の制限により接続させることができなかったことを通知する電子メールを移動機８に送信させる。各移動機の電子メールアドレスが記憶部３８に記憶されており、電子メールの送信の際に参照される。
【００７２】
本発明の実施の形態は、上述した実施の形態に限定されるものではなく、本発明の要旨を逸脱しない範囲において種々の変更が可能である。
【００７３】
例えば、以上においては、個別チャネルを移動機２−３に割り当てることができないと判断された場合、着信が失敗したことを通知するメッセージ（ショートメッセージ、電子メール）がCSCF６により送信されるものとしたが、その判断を行ったフェムト基地局１自身により送信されるようにしてもよい。
【００７４】
この場合、フェムト基地局１に対しては、接続要求を送信するタイミングなどの所定のタイミングで、マクロセルＣ2に在圏している移動機８のアドレスなどの情報が例えばCSCF６から通知され、通知されたアドレスに基づいて移動機８に対するメッセージの送信が行われる。
【００７５】
また、フェムト基地局１にはフェムトセルＣ1に在圏している移動機２−３のアドレスなどの情報が登録されており、登録されているアドレスに基づいて移動機２−３に対するメッセージの送信が行われる。
【００７６】
フェムト基地局１に替えて、「ピコセル」、「マイクロセル」と呼ばれる小型セルを形成する基地局が設けられるようにしてもよい。小型基地局は、フェムトセル、ピコセル、マイクロセル等の小型セルを形成する基地局である。
【図面の簡単な説明】
【００７７】
【図１】本発明の一実施形態に係る通信システムの構成例を示す図である。
【図２】ブロードバンド回線の帯域の割り当ての例を示す図である。
【図３】図１の通信システムにおける情報の一連の流れを示す図である。
【図４】図１のフェムト基地局の構成例を示すブロック図である。
【図５】図１のCSCFの構成例を示すブロック図である。
【符号の説明】
【００７８】
１  フェムト基地局，  ２−１乃至２−３  移動機，  ４  パケットデータGW，  ５  MGW、  ６  CSCF，  ７  マクロ基地局，  ８  移動機
【図１】
2010141456.tif 000003
【図２】
2010141456.tif 000004
【図３】
2010141456.tif 000005
【図４】
2010141456.tif 000006
【図５】
2010141456.tif 000007